(57)【特許請求の範囲】
【請求項１】
監視領域を撮影して得られる映像を蓄積し且つ必要な部分の映像を表示するエレベータ向け監視装置において、
上記映像に時刻情報を付加して蓄積する映像蓄積手段と、
エレベータの運行データに時刻情報を付加して蓄積する運行データ蓄積手段と、
人の行動に関する人検索条件を入力する検索条件入力手段と、
上記入力された人検索条件をエレベータの運行に関する運行検索条件に変換する検索条件変換手段と、
上記運行検索条件に該当する運行が行われていた時刻を上記運行データ蓄積手段から抽出する運行データ抽出手段と、
抽出された時刻の映像を抽出する映像抽出手段と、
抽出した映像を運行データと合わせて表示する映像・運行データ表示手段と、
を有することを特徴とするエレベータ向け監視装置。
【請求項２】
上記人検索条件を乗車階から乗車して降車階で降車したとするとき、上記運行検索条件は上記乗車階で扉開、上記降車階で扉開、上記降車階で扉閉が順に発生したとなることを特徴とする請求項１に記載のエレベータ向け監視装置。
【請求項３】
上記人検索条件を乗車階から乗車して降車階で降車したとするとき、上記運行検索条件は上記乗車階でドア通過、上記降車階でドアを通過、上記降車階で扉閉が順に発生したとなることを特徴とする請求項１に記載のエレベータ向け監視装置。
【請求項４】
上記人検索条件を乗車階から乗車して降車階で降車したとするとき、上記運行検索条件は上記乗車階で扉開、上記乗車階で乗車、上記降車階で降車、上記降車階で扉閉が順に発生したとなることを特徴とする請求項１に記載のエレベータ向け監視装置。
【請求項５】
上記人検索条件を乗車階から乗車して降車階で降車したとするとき、上記運行検索条件は上記乗車階で扉開、上記エレベータのかご内に人が乗車中、上記降車階で扉開、上記降車階で扉閉が順に発生したとなることを特徴とする請求項１に記載のエレベータ向け監視装置。
【発明の詳細な説明】
【技術分野】
【０００１】
この発明は、エレベータの防犯監視等に用いられる、エレベー向け監視装置に関するものである。
【背景技術】
【０００２】
従来のエレベータの映像監視装置は、エレベータの動作状態変化があった時にエレベータのかご室内の映像データをこの時の動作状態と組み合わせて記録する監視映像記録手段を備えた。そして、起動、停止、扉開閉などのエレベータの運行状態をキーに検索を行い、該当する映像を再生する（例えば、特許文献１参照）。
【０００３】
【特許文献１】特開２００２−３１０４号公報
【発明の開示】
【発明が解決しようとする課題】
【０００４】
しかし、エレベータの運行状態と乗降する複数の人の行動とは１：１に対応しないので、ある乗車階から乗ってある降車階で降りた人のように人の行動をキーに検索することができず、人の行動を追跡するような検索は非常に効率が悪いという問題がある。
【０００５】
この発明の目的は、人の行動をキーに検索することができるエレベータ向け監視装置を提供することである。
【課題を解決するための手段】
【０００６】
この発明に係るエレベータ向け監視装置は、監視領域を撮影して得られる映像を蓄積し且つ必要な部分の映像を表示するエレベータ向け監視装置において、上記映像に時刻情報を付加して蓄積する映像蓄積手段と、エレベータの運行データに時刻情報を付加して蓄積する運行データ蓄積手段と、人の行動に関する人検索条件を入力する検索条件入力手段と、上記入力された人検索条件をエレベータの運行に関する運行検索条件に変換する検索条件変換手段と、上記運行検索条件に該当する運行が行われていた時刻を上記運行データ蓄積手段から抽出する運行データ抽出手段と、抽出された時刻の映像を抽出する映像抽出手段と、抽出した映像を運行データと合わせて表示する映像・運行データ表示手段と、を有する。
【発明の効果】
【０００７】
この発明に係るエレベータ向け監視装置の効果は、エレベータの乗りカゴ内の映像が時刻が付加されて蓄積され、エレベータの運行状態も時刻が付加されて蓄積され、人の行動に関する検索条件を運行状態に関する検索条件に変換し、運行状態に関する検索条件を満たす運行状態のときの時刻を抽出し、抽出した時刻での映像を抽出するので、監視映像から人の行動に基づいた検索を行うことができる。
【発明を実施するための最良の形態】
【０００８】
実施の形態１．
図１は、この発明の実施の形態１に係るエレベータ向け監視装置の構成を示すブロック図である。図２は、モニタに表示された人の行動に関する検索条件を入力するための画像である。図３は、モニタに表示された運行データおよび映像データである。
この発明の実施の形態１に係るエレベータ向け監視装置１は、例えばエレベータの乗りカゴ２内の乗客の様子をカメラ３で撮影して得られた映像に時刻情報を付加して蓄積する映像蓄積手段１１、エレベータ制御装置４から得られるエレベータの運行データに時刻情報を付加して蓄積する運行データ蓄積手段１２、モニタ５、キーボード６、マウス７などのマンマシンインターフェースを操作して人の行動に関する検索条件（以下、「人検索条件」と称す）を入力する検索条件入力手段１３、入力された人検索条件からエレベータの運行に関する検索条件（以下、「運行検索条件」と称す）に変換する検索条件変換手段１４、運行検索条件に該当する運行が行われていた時刻を運行データ蓄積手段１２から抽出する運行データ抽出手段１５、抽出された時刻の映像を抽出する映像抽出手段１６、抽出した映像を運行データと合わせて表示する映像・運行データ表示手段１７を有する。
【０００９】
検索条件入力手段１３により検索対象の人物の行動を入力し、検索条件変換手段１４により人物の行動ベースの検索条件をエレベータの運行ベースの検索条件に変換する。
変換された運行ベースの検索条件に該当する運行データを運行データ蓄積手段１２より抽出する。
抽出された運行データに該当する映像を映像蓄積手段１１から抽出する。
抽出された運行データと映像データとを関連付けて表示する。
【００１０】
エレベータの運行状態は、各階床での扉開、各階床での扉閉、ＵＰ運転、ＤＯＷＮ運転、各階床での乗場呼び、および、各階床でのかご呼びで表すことができる。
そして、運行データ蓄積手段１２には、エレベータの各運行状態が時刻が付加されて蓄積されている。例えば、１月１日の午後０時０分０秒に３Ｆで乗場呼び、午後０時０分１０秒に３Ｆで扉開、午後０時０分１３秒にＤＯＷＮ運転、午後０時０分１５秒に１Ｆで扉開、午後０時０分２０秒に１Ｆで扉閉というように蓄積される。
人の行動は、乗りカゴ２に乗車する乗車階と乗りカゴ２から降車する降車階で表すことができる。
【００１１】
検索条件入力手段１３は、モニタ５に図２のように、乗車階を入力するためにエレベータが運行されている全ての階床および特には指定しない場合に選択する「＊」の欄を表示する。また、検索条件入力手段１３は、モニタ５に降車階を入力するためにエレベータが運行されている全ての階床および特には指定しない場合に選択する「＊」の欄を表示する。
【００１２】
検索条件変換手段１４は、人検索条件を運行検索条件に変換する。変換する手順は、まず「某月某日、開始時刻から終了時刻の間」はそのまま「某月某日、開始時刻から終了時刻の間」とする。次に、「乗車階」と「降車階」とを用いて、（１）乗車階の乗場呼び、（２）乗車階で扉開、（３）降車階で扉閉、および、（４）降車階で扉閉の運行状態を生成する。最後に、これらをまとめて、「某月某日、開始時刻から終了時刻の間で、（１）乗車階の乗場呼び、（２）乗車階で扉開、（３）降車階で扉閉、および、（４）降車階で扉閉がこの順番で行われる」を運行検索条件とする。
例えば、人検索条件が「１月１日、午前１１時から午後１時の間で、３階から１階に行った人」の場合、運行検索条件は「１月１日、午前１１時から午後１時の間で、（１）３階の乗場呼び、（２）３階で扉開、（３）１階で扉閉、および、（４）１階で扉閉がこの順番で行われる」となる。
【００１３】
運行データ抽出手段１５は、運行データ蓄積手段１２に蓄積されている時刻付き運行データを運行検索条件で検索し、該当する時刻付き運行データがある場合抽出開始時刻として乗車階での扉開の時刻と抽出終了時刻として降車階での扉閉の時刻を抽出する。例えば、上述の例では３Ｆでの扉開の時刻として午後０時０分１０秒、１Ｆでの扉閉の時刻として午後０時０分２０秒を抽出する。
【００１４】
映像抽出手段１６は、運行データ抽出手段１５により抽出された抽出開始時刻と抽出終了時刻との間の映像蓄積手段１１に蓄積されている映像を抽出する。
映像・運行データ表示手段１７は、図３に示すように、モニタ５の左半分に運行状態を表示し、右半分に映像を表示する。そして、表示を開始すると、乗りカゴ２を示す図形が３階に対応する位置に停止しており、そのときに撮影された映像が表示される。次に、再生を開始すると運行状態を示す乗りカゴ２の図形は３階に対応する位置から１階に対応する位置まで移動し、１階に対応する位置で停止する。一方、映像も再生される。
【００１５】
この発明の実施の形態１に係るエレベータ向け監視装置１は、エレベータの乗りカゴ２内の映像が時刻が付加されて蓄積され、エレベータの運行状態も時刻が付加されて蓄積され、人の行動に関する検索条件を運行状態に関する検索条件に変換し、運行状態に関する検索条件を満たす運行状態のときの時刻を抽出し、抽出した時刻での映像を抽出するので、監視映像から人の行動に基づいた検索を行うことができる。
【００１６】
なお、上述の検索条件変換手段１４は、「某月某日、開始時刻から終了時刻の間で、乗車階から降車階に行った人」という人検索条件を、「某月某日、開始時刻から終了時刻の間で、（１）乗車階の乗場呼び、（２）乗車階で扉開、（３）降車階で扉閉、および、（４）降車階で扉閉がこの順番で行われる」という運行検索条件に変換したが、運行状態の１つであるＤＯＷＮ運転またはＵＰ運転を追加して、「「某月某日、開始時刻から終了時刻の間で、（１）乗車階の乗場呼び、（２）乗車階で扉開、（３）ＤＯＷＮ運転、（４）降車階で扉閉、および、（５）降車階で扉閉がこの順番で行われる」という運行検索条件に変換しても良い。このようにＤＯＷＮ運転またはＵＰ運転を追加することにより、乗車階から降車階に直接行った人に関する映像を検索することができる。
【００１７】
実施の形態２．
図４は、この発明の実施の形態２に係るエレベータ向け監視装置の構成を示すブロック図である。
この発明の実施の形態２に係るエレベータ向け監視装置１Ｂは、図示しないドアを人が通過したときに信号を発する光電センサを備える。
また、この発明の実施の形態２に係るエレベータ向け監視装置１Ｂは、この発明の実施の形態１に係るエレベータ向け監視装置１と運行データ蓄積手段１２Ｂ、検索条件変換手段１４Ｂおよび運行データ抽出手段１５Ｂが異なり、それ以外は同様であるので、同じ符号を付記し説明は省略する。
この発明の実施の形態２に係る運行データ蓄積手段１２Ｂは、この発明の実施の形態１に係る運行データ蓄積手段１２と蓄積する運行データが異なり、それ以外は同様である。そして、蓄積する運行データでの運行状態として、各階床での扉開、各階床での扉閉、ＵＰ運転、ＤＯＷＮ運転、各階床での乗場呼び、および、各階床でのかご呼びに加えて、各階床でのドアの通過である。この各階床でのドアの通過は人が光電センサを遮ることにより発せられる信号から得られる。
例えば、１月１日の午後０時０分０秒に３Ｆで乗場呼び、午後０時０分１０秒に３Ｆで扉開、午後０時０分１１秒に３Ｆのドアを通過、午後０時０分１３秒にＤＯＷＮ運転、午後０時０分１５秒に１Ｆで扉開、午後０時０分１６秒に１Ｆのドアを通過、午後０時０分２０秒に１Ｆで扉閉というように蓄積される。
【００１８】
この発明の実施の形態２に係る検索条件変換手段１４Ｂは、人検索条件を運行検索条件に変換する。変換する手順は、まず「某月某日、開始時刻から終了時刻の間」はそのまま「某月某日、開始時刻から終了時刻の間」とする。次に、「乗車階」と「降車階」とを用いて、（１）乗車階の乗場呼び、（２）乗車階でドア通過、（３）降車階でドア通過、および、（４）降車階で扉閉の運行状態を生成する。最後に、これらをまとめて、「某月某日、開始時刻から終了時刻の間で、（１）乗車階の乗場呼び、（２）乗車階でドア通過、（３）降車階でドア通過、および、（４）降車階で扉閉がこの順番で行われる」を運行検索条件とする。
例えば、人検索条件が「１月１日、午前１１時から午後１時の間で、３階から１階に行った人」の場合、運行検索条件は「１月１日、午前１１時から午後１時の間で、（１）３階の乗場呼び、（２）３階でドア通過、（３）１階でドア通過、および、（４）１階で扉閉がこの順番で行われる」となる。
【００１９】
この発明の実施の形態２に係る運行データ抽出手段１５Ｂは、運行データ蓄積手段１２Ｂに蓄積されている時刻付き運行データを運行検索条件で検索し、該当する時刻付き運行データがある場合抽出開始時刻として乗車階でドア通過の時刻と抽出終了時刻として降車階での扉閉の時刻を抽出する。例えば、上述の例では３Ｆでドア通過の時刻として午後０時０分１１秒、１Ｆでの扉閉の時刻として午後０時０分２０秒を抽出する。
【００２０】
この発明の実施の形態２に係るエレベータ向け監視装置１Ｂは、エレベータの乗りカゴ２内の映像が時刻が付加されて蓄積され、エレベータの運行状態も時刻が付加されて蓄積され、人の行動に関する検索条件を運行状態に関する検索条件に変換し、運行状態に関する検索条件を満たす運行状態のときの時刻を抽出し、抽出した時刻での映像を抽出するので、蓄積された監視映像から人の行動に基づいた検索を行うことができる。
特に、人の乗降を光電センサを遮ることにより乗りカゴ２に人が乗り降りしたことを運行状態に追加したので、蓄積された監視映像から人の行動に基づいた検索を確実に行うことができる。
【００２１】
なお、上述の検索条件変換手段１４Ｂは、「某月某日、開始時刻から終了時刻の間で、乗車階から降車階に行った人」という人検索条件を、「某月某日、開始時刻から終了時刻の間で、（１）乗車階の乗場呼び、（２）乗車階でドア通過、（３）降車階でドア通過、および、（４）降車階で扉閉がこの順番で行われる」という運行検索条件に変換したが、運行状態の１つであるＤＯＷＮ運転またはＵＰ運転を追加して、「「某月某日、開始時刻から終了時刻の間で、（１）乗車階の乗場呼び、（２）乗車階でドア通過、（３）ＤＯＷＮ運転、（４）降車階でドア通過、および、（５）降車階で扉閉がこの順番で行われる」という運行検索条件に変換しても良い。このようにＤＯＷＮ運転またはＵＰ運転を追加することにより、乗車階から降車階に直接行った人に関する映像を検索することができる。
【００２２】
また、人がドアを通過することを人が光電センサを遮ることにより検知しているが、乗りカゴ２の重量を量る秤装置により人の乗り降りを検知して運行状態としても良い。この場合は、乗車階で重量変化および降車階で重量変化を運行状態とする。
【００２３】
実施の形態３．
図５は、この発明の実施の形態３に係るエレベータ向け監視装置の構成を示すブロック図である。
この発明の実施の形態３に係るエレベータ向け監視装置１Ｃは、図示しないドアを人が何れの方向に通過したことを検知するために２個の光電センサを備える。
また、この発明の実施の形態３に係るエレベータ向け監視装置１Ｃは、この発明の実施の形態１に係るエレベータ向け監視装置１と運行データ蓄積手段１２Ｃ、検索条件変換手段１４Ｃおよび運行データ抽出手段１５Ｃが異なり、それ以外は同様であるので、同じ符号を付記し説明は省略する。
この発明の実施の形態３に係る運行データ蓄積手段１２Ｃは、この発明の実施の形態１に係る運行データ蓄積手段１２と蓄積する運行データが異なり、それ以外は同様である。そして、蓄積する運行データでの運行状態として、各階床での扉開、各階床での扉閉、ＵＰ運転、ＤＯＷＮ運転、各階床での乗場呼び、および、各階床でのかご呼びに加えて、各階床での乗車、各階床での降車である。この各階床での乗車および各階床での降車は人が何れの光電センサを先に遮ったかを検知することにより得られる。
例えば、１月１日の午後０時０分０秒に３Ｆで乗場呼び、午後０時０分１０秒に３Ｆで扉開、午後０時０分１１秒に３Ｆで乗車、午後０時０分１３秒にＤＯＷＮ運転、午後０時０分１５秒に１Ｆで扉開、午後０時０分１６秒に１Ｆで降車、午後０時０分２０秒に１Ｆで扉閉というように蓄積される。
【００２４】
この発明の実施の形態３に係る検索条件変換手段１４Ｃは、人検索条件を運行検索条件に変換する。変換する手順は、まず「某月某日、開始時刻から終了時刻の間」はそのまま「某月某日、開始時刻から終了時刻の間」とする。次に、「乗車階」と「降車階」とを用いて、（１）乗車階の乗場呼び、（２）乗車階で扉開、（３）乗車階で乗車、（４）降車階で降車、および、（５）降車階で扉閉の運行状態を生成する。最後に、これらをまとめて、「某月某日、開始時刻から終了時刻の間で、（１）乗車階の乗場呼び、（２）乗車階で扉開、（３）乗車階で乗車、（４）降車階で降車、および、（５）降車階で扉閉がこの順番で行われる」を運行検索条件とする。
例えば、人検索条件が「１月１日、午前１１時から午後１時の間で、３階から１階に行った人」の場合、運行検索条件は「１月１日、午前１１時から午後１時の間で、（１）３階の乗場呼び、（２）３階で扉開、（３）３階で乗車、（４）１階で降車、および、（５）１階で扉閉がこの順番で行われる」となる。
【００２５】
この発明の実施の形態３に係る運行データ抽出手段１５Ｃは、運行データ蓄積手段１２Ｃに蓄積されている時刻付き運行データを運行検索条件で検索し、該当する時刻付き運行データがある場合抽出開始時刻として乗車階で扉開の時刻と抽出終了時刻として降車階での扉閉の時刻を抽出する。例えば、上述の例では３Ｆで扉開の時刻として午後０時０分１０秒、１Ｆでの扉閉の時刻として午後０時０分２０秒を抽出する。
【００２６】
この発明の実施の形態３に係るエレベータ向け監視装置１Ｃは、エレベータの乗りカゴ２内の映像が時刻が付加されて蓄積され、エレベータの運行状態も時刻が付加されて蓄積され、人の行動に関する検索条件を運行状態に関する検索条件に変換し、運行状態に関する検索条件を満たす運行状態のときの時刻を抽出し、抽出した時刻での映像を抽出するので、蓄積された監視映像から人の行動に基づいた検索を行うことができる。
特に、人の乗降を２個の光電センサを遮ることにより乗りカゴ２に人が乗り降りしたことを運行状態に追加したので、蓄積された監視映像から人の行動に基づいた検索を確実に行うことができる。
【００２７】
なお、上述の検索条件変換手段１４Ｃは、「某月某日、開始時刻から終了時刻の間で、乗車階から降車階に行った人」という人検索条件を、「某月某日、開始時刻から終了時刻の間で、（１）乗車階の乗場呼び、（２）乗車階で扉開、（３）乗車階で乗車、（４）降車階で降車、および、（５）降車階で扉閉がこの順番で行われる」という運行検索条件に変換したが、運行状態の１つであるＤＯＷＮ運転またはＵＰ運転を追加して、「「某月某日、開始時刻から終了時刻の間で、（１）乗車階の乗場呼び、（２）乗車階で扉開、（３）乗車階で乗車、（４）ＤＯＷＮ運転、（５）降車階で降車、および、（６）降車階で扉閉がこの順番で行われる」という運行検索条件に変換しても良い。このようにＤＯＷＮ運転またはＵＰ運転を追加することにより、乗車階から降車階に直接行った人に関する映像を検索することができる。
【００２８】
また、人が乗降することを人が２個の光電センサの何れを早く遮ることから検知しているが、乗りカゴ２の重量を量る秤装置により人の乗り降りを検知して運行状態としても良い。この場合は、乗車階で重量変化および降車階で重量変化を運行状態とする。
また、かご内の映像を画像処理して人がドアを通過した際の方向を検知しても良い。
【００２９】
実施の形態４．
図６は、この発明の実施の形態４に係るエレベータ向け監視装置の構成を示すブロック図である。
この発明の実施の形態４に係るエレベータ向け監視装置１Ｄは、乗りカゴ２内に人がいることを検知するための図示しない人感センサを備える。
また、この発明の実施の形態４に係るエレベータ向け監視装置１Ｄは、この発明の実施の形態１に係るエレベータ向け監視装置１と運行データ蓄積手段１２Ｄ、検索条件変換手段１４Ｄおよび運行データ抽出手段１５Ｄが異なり、それ以外は同様であるので、同じ符号を付記し説明は省略する。
この発明の実施の形態４に係る運行データ蓄積手段１２Ｄは、この発明の実施の形態１に係る運行データ蓄積手段１２と蓄積する運行データが異なり、それ以外は同様である。そして、蓄積する運行データでの運行状態として、各階床での扉開、各階床での扉閉、ＵＰ運転、ＤＯＷＮ運転、各階床での乗場呼び、および、各階床でのかご呼びに加えて、かご内に人が乗車中である。このかご内に人が乗車中は人感センサがかご内の人を検知することにより得られる。
例えば、１月１日の午後０時０分０秒に３Ｆで乗場呼び、午後０時０分１０秒に３Ｆで扉開、午後０時０分１１秒から午後０時０分１６秒の間でかご内に人が乗車中、午後０時０分１３秒にＤＯＷＮ運転、午後０時０分１５秒に１Ｆで扉開、午後０時０分２０秒に１Ｆで扉閉というように蓄積される。
【００３０】
この発明の実施の形態４に係る検索条件変換手段１４Ｄは、人検索条件を運行検索条件に変換する。変換する手順は、まず「某月某日、開始時刻から終了時刻の間」はそのまま「某月某日、開始時刻から終了時刻の間」とする。次に、「乗車階」と「降車階」とを用いて、（１）乗車階の乗場呼び、（２）乗車階で扉開、（３）かご内に人が乗車中、（４）降車階で扉開、および、（５）降車階で扉閉の運行状態を生成する。最後に、これらをまとめて、「某月某日、開始時刻から終了時刻の間で、（１）乗車階の乗場呼び、（２）乗車階で扉開、（３）かご内に人が乗車中、（４）降車階で扉開、および、（５）降車階で扉閉がこの順番で行われる」を運行検索条件とする。
例えば、人検索条件が「１月１日、午前１１時から午後１時の間で、３階から１階に行った人」の場合、運行検索条件は「１月１日、午前１１時から午後１時の間で、（１）３階の乗場呼び、（２）３階で扉開、（３）かご内に人が乗車中、（４）１階で扉開、および、（５）１階で扉閉がこの順番で行われる」となる。
【００３１】
この発明の実施の形態４に係る運行データ抽出手段１５Ｄは、運行データ蓄積手段１２Ｄに蓄積されている時刻付き運行データを運行検索条件で検索し、該当する時刻付き運行データがある場合抽出開始時刻として乗車階で扉開の時刻と抽出終了時刻として降車階での扉閉の時刻を抽出する。例えば、上述の例では３Ｆで扉開の時刻として午後０時０分１０秒、１Ｆでの扉閉の時刻として午後０時０分２０秒を抽出する。
【００３２】
この発明の実施の形態４に係るエレベータ向け監視装置１Ｄは、エレベータの乗りカゴ２内の映像が時刻が付加されて蓄積され、エレベータの運行状態も時刻が付加されて蓄積され、人の行動に関する検索条件を運行状態に関する検索条件に変換し、運行状態に関する検索条件を満たす運行状態のときの時刻を抽出し、抽出した時刻での映像を抽出するので、蓄積された監視映像から人の行動に基づいた検索を行うことができる。
特に、人がかご内にいることを人感センサにより検知することにより、かご内に人が乗車中を運行状態に追加したので、蓄積された監視映像から人の行動に基づいた検索を確実に行うことができる。
【００３３】
なお、上述の検索条件変換手段１４Ｄは、「某月某日、開始時刻から終了時刻の間で、乗車階から降車階に行った人」という人検索条件を、「某月某日、開始時刻から終了時刻の間で、（１）乗車階の乗場呼び、（２）乗車階で扉開、（３）かご内に人が乗車中、（４）降車階で扉開、および、（５）降車階で扉閉がこの順番で行われる」という運行検索条件に変換したが、運行状態の１つであるＤＯＷＮ運転またはＵＰ運転を追加して、「某月某日、開始時刻から終了時刻の間で、（１）乗車階の乗場呼び、（２）乗車階で扉開、（３）かご内に人が乗車中、（４）ＤＯＷＮ運転、（５）降車階で扉開、および、（６）降車階で扉閉がこの順番で行われる」という運行検索条件に変換しても良い。このようにＤＯＷＮ運転またはＵＰ運転を追加することにより、乗車階から降車階に直接行った人に関する映像を検索することができる。
【００３４】
また、乗りカゴ２内に人がいることを人感センサにより検知しているが、乗りカゴ２の重量を量る秤装置によりかご内に人がいることを検知して運行状態としても良い。
また、かご内の映像を画像処理してかご内に人がいることを検知しても良い。
【図面の簡単な説明】
【００３５】
【図１】この発明の実施の形態１に係るエレベータ向け監視装置の構成を示すブロック図である。
【図２】モニタに表示された人の行動に関する検索条件を入力するための画像である。
【図３】モニタに表示された運行データおよび映像データである。
【図４】この発明の実施の形態２に係るエレベータ向け監視装置の構成を示すブロック図である。
【図５】この発明の実施の形態３に係るエレベータ向け監視装置の構成を示すブロック図である。
【図６】この発明の実施の形態４に係るエレベータ向け監視装置の構成を示すブロック図である。
【符号の説明】
【００３６】
１、１Ｂ、１Ｃ、１Ｄ  エレベータ向け監視装置、２  乗りカゴ、３  カメラ、４  エレベータ制御装置、５  モニタ、６  キーボード、７  マウス、１１  映像蓄積手段、１２、１２Ｂ、１２Ｃ、１２Ｄ  運行データ蓄積手段、１３  検索条件入力手段、１４、１４Ｂ、１４Ｃ、１４Ｄ  検索条件変換手段、１５、１５Ｂ、１５Ｃ、１５Ｄ  運行データ抽出手段、１６  映像抽出手段、１７  映像・運行データ表示手段。
【図１】
0005261020.tif 000002
【図２】
0005261020.tif 000003
【図３】
0005261020.tif 000004
【図４】
0005261020.tif 000005
【図５】
0005261020.tif 000006
【図６】
0005261020.tif 000007